(57)【要約】【課題】ユーザが車両を降りることなく、情報をシステムに登録することを可能にする。【解決手段】車載器に関する第１の識別情報を受信する第１の受信部と、通信装置の入力部で入力された第２の識別情報を受信する第２の受信部と、前記第１の識別情報と前記第２の識別情報とを関連付けて登録する登録部と、を備えることを特徴とする、情報処理装置。【選択図】図１
2018136743.tif 000002
【特許請求の範囲】
【請求項１】
車載器に関する第１の識別情報を受信する第１の受信部と、
通信装置の入力部で入力された第２の識別情報を受信する第２の受信部と、
前記第１の識別情報と前記第２の識別情報とを関連付けて登録する登録部と、
を備えることを特徴とする、情報処理装置。
【請求項２】
前記登録部において、前記第１の識別情報と前記第２の識別情報とが関連付けて登録されると、ゲートを開くための制御信号を生成する制御部と、をさらに備えること
を特徴とする請求項１に記載の情報処理装置。
【請求項３】
前記第１の識別情報が登録されているか否かを判定する判定部と、
ゲートを開くための制御信号を生成する制御部と、をさらに備え、
前記判定部が、前記第１の識別情報が前記第２の識別情報と関連付けて登録されていると判定した場合、
前記制御部は、ゲートを開くための制御信号を生成する、ことを特徴とする請求項１に記載の情報処理装置。
【請求項４】
前記判定部は、登録されていない複数の第３の識別情報が受信されているか否かを判定し、
前記判定部が、登録されていない複数の前記第３の識別情報が受信されていると判定する場合、
登録されていない複数の前記第３の識別情報における1つの識別情報を前記第１の識別情報とし、複数の第４の識別情報における1つの識別情報を前記第２の識別情報とし、前記第１の識別情報と前記第２の識別情報とを関連付けて登録するための区別登録処理を行う、区別登録処理部をさらに備える、ことを特徴とする請求項３に記載の情報処理装置。
【請求項５】
前記区別登録処理部は、前記第４の識別情報の送信元の通信装置の１つに、前記車載器に関する操作を指示する情報を送る、ことを特徴とする請求項４に記載の情報処理装置。
【請求項６】
前記制御部は、
前記区別登録処理部において、前記第４の識別情報の送信元の通信装置の１つに、前記車載器に関する操作を指示する情報が送られると、
前記第４の識別情報の送信元の通信装置の１つに対して送出される命令情報であり、前記第４の識別情報の送出に関わる命令情報を有する制御信号を生成する、ことを特徴とする請求項５に記載の情報処理装置。
【請求項７】
前記区別登録処理部は、前記複数の第４の識別情報の送信元の通信装置に、前記車載器に関する操作を指示する情報を送る、ことを特徴とする請求項４に記載の情報処理装置。
【請求項８】
前記制御部は、
前記区別登録処理部において、前記複数の第４の識別情報の送信元の通信装置に、前記車載器に関する操作を指示する情報が送られると、
前記第４の識別情報の送信元の通信装置の１つに対して送出される命令情報であり、前記第４の識別情報の送出に関わる命令情報を有する制御信号を生成する、ことを特徴とする請求項７に記載の情報処理装置。
【請求項９】
前記車載器に関する操作を指示する情報は、画像情報または音声情報である、ことを特徴とする請求項５から請求項８のいずれか１項に記載の情報処理装置。
【請求項１０】
前記車載器に関する操作を指示する情報は、前記車載器の電源を切ることを指示する情報である、ことを特徴とする請求項５または請求項６に記載の情報処理装置。
【請求項１１】
前記車載器に関する操作を指示する情報は、前記車載器の電源を入れることを指示する情報である、ことを特徴とする請求項７または請求項８に記載の情報処理装置。
【請求項１２】
前記第１の受信部は、さらにゲート装置に関する第５の識別情報を受信する、ことを特徴とする請求項１から請求項１１のいずれか１項に記載の情報処理装置。
【請求項１３】
前記第２の識別情報は、ユーザに関する情報に基づく識別情報である、ことを特徴とする請求項１から請求項１２のいずれか１項に記載の情報処理装置。
【請求項１４】
前記第２の識別情報は、ユーザを管理する組織に関する情報に基づく識別情報である、ことを特徴とする請求項１から請求項１３のいずれか１項に記載の情報処理装置。
【請求項１５】
前記第１の識別情報は、ＷＣＮ（Ｗｉｒｅｌｅｓｓ  Ｃａｌｌ  Ｎｕｍｂｅｒ）である、ことを特徴とする請求項１から請求項１４のいずれか１項に記載の情報処理装置。
【請求項１６】
前記第２の受信部は、前記第２の識別情報を、ウェブサイトを介して受信すること
を特徴とする請求項１から請求項１５のいずれか１項に記載の情報処理装置。
【請求項１７】
情報処理装置における情報処理方法であって、
前記情報処理装置は、
車載器に関する第１の識別情報を受信するステップと、
通信装置の入力部で入力された第２の識別情報を受信するステップと、
前記第１の識別情報と前記第２の識別情報とを関連付けて登録するステップと、
を有する、ことを特徴とする情報処理方法。
【請求項１８】
コンピュータを、
車載器に関する第１の識別情報を受信する第１の受信部と、
通信装置の入力部で入力された第２の識別情報を受信する第２の受信部と、
前記第１の識別情報と前記第２の識別情報とを関連付けて登録する登録部と、
として機能させる、ことを特徴とするプログラム。
【発明の詳細な説明】
【技術分野】
【０００１】
本発明は、情報処理装置、情報処理方法およびプログラムに関する。
【背景技術】
【０００２】
近年、車両に搭載されるＥＴＣ（Electronic  Toll  Collection  System）車載器を利用したサービスが広く展開されている。例えば、ＥＴＣ車載器を利用したサービスは、高速道路の料金徴収である。またＥＴＣ車載器は、駐車場のゲートの開閉を制御するシステムにも用いられている。
【０００３】
下記の特許文献１には、上述したＥＴＣ車載器を利用した駐車場に関するシステムが開示されている。特許文献１に開示されているシステムでは、ＥＴＣ車載器に関するＷＣＮ（Wireless  Call  Number）が、ユーザの携帯端末に関する情報と関連付けて登録されることによって、駐車場のゲートが開放されることが記載されている。
【先行技術文献】
【特許文献】
【０００４】
【特許文献１】特開２００５−２２７９９６号公報
【発明の概要】
【発明が解決しようとする課題】
【０００５】
しかしながら、特許文献１に開示されているシステムでは、ユーザは、携帯端末を、携帯端末に関する情報を読み取る機器にかざす必要があった。このためユーザは、車載器に関する識別情報を登録するために車両から降りなければならない、または車両の窓を開けなければならなかった。したがって特許文献１に開示されているシステムには、防犯上の問題があった。
【０００６】
そこで、本発明は、上記問題に鑑みてなされたものであり、本発明の目的とするところは、ユーザが車両から降りる、または車両の窓を開けることなく、車載器に関する識別情報をシステムに登録することが可能な、新規かつ改良された情報処理装置、情報処理方法およびプログラムを提供することにある。
【課題を解決するための手段】
【０００７】
上記課題を解決するために、本発明のある観点によれば、車載器に関する第１の識別情報を受信する第１の受信部と、端末の入力部で入力された第２の識別情報を受信する第２の受信部と、前記第１の識別情報と前記第２の識別情報とを関連付けて登録する登録部と、を備えることを特徴とする、情報処理装置が提供される。
【０００８】
また、上記課題を解決するために、本発明の別の観点によれば、情報処理装置における情報処理方法であって、情報処理装置は、車載器に関する第１の識別情報を受信するステップと、端末の入力部で入力された第２の識別情報を受信するステップと、前記第１の識別情報と前記第２の識別情報とを関連付けて登録するステップと、を有することを特徴とする情報処理方法が提供される。
【０００９】
また、上記課題を解決するために、本発明の別の観点によれば、コンピュータを、車載器に関する第１の識別情報を受信する第１の受信部と、端末の入力部で入力された第２の識別情報を受信する第２の受信部と、前記第１の識別情報と前記第２の識別情報とを関連付けて登録する登録部と、として機能させるためのプログラムが提供される。
【発明の効果】
【００１０】
以上説明したように本発明によれば、ユーザが車両から降りる、または車両の窓を開けることなく、車載器に関する識別情報をシステムに登録することができる。
【図面の簡単な説明】
【００１１】
【図１】本発明の第1の実施形態による駐車場制御システムの構成を示す説明図である。
【図２】本発明の第１の実施形態によるゲート装置の構成を示す説明図である。
【図３】本発明の第１の実施形態によるサーバの構成を示す説明図である。
【図４】本発明の第１の実施形態のシステムにおける情報処理方法の一例を示す図である。
【図５】本発明の第２の実施形態による駐車場制御システムの構成を示す説明図である。
【図６】本発明の第２の実施形態によるサーバの構成を示す説明図である。
【図７】本発明の第２の実施形態のシステムにおける情報処理方法の一例を示す図である。
【図８】本発明の第２の実施形態のシステムにおける情報処理方法の一例を示す図である。
【図９】サーバのハードウェア構成を示したブロック図である。
【発明を実施するための形態】
【００１２】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１３】
＜＜第１の実施形態＞＞
本発明の第１の実施形態は、情報処理システム、特に、駐車場の出入場を管理する駐車場管理システムに関する。以下、図１を参照して、本発明の第１の実施形態による駐車場管理システムの構成を説明する。
【００１４】
＜１．第１の実施形態による駐車場管理システムの構成＞
図１は、本発明の第１の実施形態による駐車場管理システムの構成を示す図である。図１に示されるように、本発明の第１の実施形態による駐車場管理システムは、車載器１０２を搭載する車両１００と、ユーザによって所持される携帯端末２００と、ゲート装置３００と、ネットワーク４００と、サーバ５００と、を含む。ここで、携帯端末２００の一例は、スマートフォン、タブレット端末、ネットワークを介して通信できる携帯電話などの情報処理装置である。
【００１５】
本発明の第１の実施形態による駐車場管理システムでは、サーバ５００によって、車両１００に搭載されている車載器１０２に関する識別情報（例えばＷＣＮ）が駐車場管理システムに登録されているか否かが判定される。ここで、車載器１０２に関する識別情報が駐車場管理システムに登録されている場合、サーバ５００は、ゲート装置３００に対してゲートを開くための制御信号を送信する。ゲートを開くための制御信号を受信したゲート装置３００は、当該制御信号に従ってゲートを開く。
【００１６】
一方、車載器１０２に関する識別情報が駐車場管理システムに登録されていない場合、サーバ５００は、ゲート装置３００に対してゲートを開くための制御信号を送信しない。そして、サーバ５００は、後述するように車載器１０２に関する識別情報を駐車場管理システムに登録するための処理を行う。車載器１０２に関する識別情報が駐車場管理システムに登録された場合、サーバ５００は、ゲート装置３００に対してゲートを開くための制御信号を送信し、ゲート装置３００は、ゲートを開く。
【００１７】
本発明の第１の実施形態による駐車場管理システムの各構成についてより詳述すると、車両１００は、車載器１０２を備えている。本発明の第１の実施形態において車両１００の種別は特に限定されず、車両１００は、四輪車であってもよく、二輪車であってもよい。また、車載器１０２は、ゲート装置３００とＤＳＲＣ（Dedicated  Short  Range  Communications）を用いて、無線通信を行う。車載器１０２にはＤＳＲＣ通信に用いられるＷＣＮが割り振られており、このＷＣＮは、ＤＳＲＣ通信の相手方で識別されるための符号である。ここでＷＣＮは、車載器１０２に固有の識別情報である。
【００１８】
携帯端末２００は、ユーザによって所持される。本発明の第１の実施形態において携帯端末２００は、後述するように、ユーザに関する識別情報を、ウェブサイトを介して入力するために用いられる。このため携帯端末２００は、例えばインターネット等を介してユーザに関する識別情報を入力するためのウェブサイトにアクセスすることができる。ユーザは、携帯端末２００を用いてユーザに関する識別情報をウェブサイトを介して本発明の駐車場管理システムに登録することができる。ユーザに関する識別情報の具体例については後述される。また、ユーザに関する識別情報は、車載器１０２に関連しない識別情報である。
【００１９】
ゲート装置３００は、駐車場への車両１００の入場および駐車場からの車両１００の出場を管理するための設備である。例えば、ゲート装置３００は、車載器１０２とＤＳＲＣを用いて、無線通信を行うことによって、車載器１０２から車載器１０２に関する識別情報（例えばＷＣＮ）を取得する。また、ゲート装置３００は、サーバ５００と通信することによって、ゲートの開閉を行い、車両１００の入出場を管理する。
【００２０】
サーバ５００は、本発明の駐車場管理システムに関する登録、制御およびウェブサイトの提供などを行う。サーバ５００は、例えば、ゲート装置３００から車載器１０２に関する識別情報を取得する。またサーバ５００は、取得された車載器１０２に関する識別情報が駐車場管理システムに登録されているか否かを判定する。そして取得された車載器１０２に関する識別情報が駐車場管理システムに登録されている場合、サーバ５００は、ゲート装置３００に対してゲートを開くための制御信号を送信する。
【００２１】
またサーバ５００は、取得された車載器１０２に関する識別情報が駐車場管理システムに登録されていない場合、後述されるように、車載器１０２に関する識別情報とユーザに関する識別情報とを関連付けて登録してもよい。またサーバ５００は、車載器１０２に関する識別情報とユーザに関する識別情報とを関連付けて登録するために、携帯端末２００が当該携帯端末２００の入力部（図示せず）でユーザにより入力された情報に基づいてアクセスするウェブサイトを提供してもよい。なお、図１では、サーバ５００は１つの情報処理装置として示されている。しかしながら、サーバ５００は、機能ごとに分かれたサーバ群で構成されてもよい。例えばサーバ５００は、ゲート装置３００を制御する情報処理装置と、ウェブサイトを提供する情報処理装置と、車載器１０２に関する識別情報とユーザに関する識別情報とを関連付けて記憶する情報処理装置と、に分かれて構成されてもよい。
【００２２】
＜２．第１の実施形態によるゲート装置の構成＞
以上では、本発明の第１の実施形態による駐車場管理システムの概略を説明した。続いて、図２を参照し、本発明の第１の実施形態によるゲート装置３００の構成を説明する。
【００２３】
図２は、本発明の第１の実施形態によるゲート装置３００の構成を示す図である。本発明の第１の実施形態によるゲート装置３００は、第１通信部３０２と、第２通信部３０４と、制御部３０６と、ゲート３０８と、を備える。
【００２４】
第１通信部３０２は、車両１００の車載器１０２とＤＳＲＣを用いて、無線通信を行うためのインターフェースである。例えば第１通信部３０２は、ＥＴＣコマンドをブロードキャストすることによって、車載器１０２からＷＣＮなどの車載器１０２に関する識別情報を取得する。
【００２５】
第２通信部３０４は、ネットワーク４００を介してサーバ５００と通信を行うためのインターフェースである。例えば、第２通信部３０４は、取得された車載器１０２に関する識別情報をサーバ５００に送信するために用いられる。また第２通信部３０４は、ゲート装置３００を識別するための識別情報をサーバ５００に送信するために用いられてもよい。また第２通信部３０４は、サーバ５００からゲート３０８を制御するための制御信号を受信するために用いられる。
【００２６】
制御部３０６は、ゲート装置３００の各部を制御する。例えば、制御部３０６は、車載器１０２に関する識別情報を第１通信部３０２に取得させる。また制御部３０６は、第２通信部３０４に、取得された車載器１０２に関する識別情報をサーバ５００に送信させる。また制御部３０６は、サーバ５００からの制御信号に基づいて、ゲート３０８を開閉する。
【００２７】
＜３．第１の実施形態によるサーバの構成＞
以上では、本発明の第１の実施形態によるゲート装置３００の構成を説明した。続いて、図３を参照し、本発明の第１の実施形態によるサーバ５００の構成を説明する。
【００２８】
図３は、本発明の第１の実施形態によるサーバ５００の構成を示す図である。本発明の第１の実施形態によるサーバ５００は、第１通信部５０２と、第２通信部５０４と、処理部５０６と、記憶部５１４と、制御部５１６と、を備える。また処理部５０６は、判定部５０８と、登録部５１０と、ウェブサイト提供部５１２と、を備える。
【００２９】
第１通信部５０２は、ゲート装置３００と通信するために用いられる。例えば第１通信部５０２は、ゲート装置３００から車載器１０２に関する識別情報を受信する。また第１通信部５０２は、ゲート装置３００からゲート装置３００に関する識別情報を受信する。また第１通信部５０２は、ゲート装置３００に対する制御信号を送信する。
【００３０】
第２通信部５０４は、ウェブサイトを介してユーザの携帯端末２００からユーザに関する識別情報を受信する。例えば第２通信部５０４は、通信事業会社にて提供される無線ネットワークであり、インターネットが利用可能な無線ネットワークを介して携帯端末２００からユーザに関する識別情報を受信する。また、第２通信部５０４は、携帯端末２００に情報を送信するために用いられる。
【００３１】
処理部５０６は、サーバ５００における各部の情報を処理する。例えば、処理部５０６は、第１通信部５０２および第２通信部５０４から取得される情報を処理する。また処理部５０６は、記憶部５１４から情報を読み出し、読み出された情報を処理する。
【００３２】
処理部５０６に含まれる判定部５０８は、第１通信部５０２によって取得される車載器１０２に関する識別情報が、駐車場管理システムに登録されているか否かを判定する。判定部５０８は、取得された車載器１０２に関する識別情報が駐車場管理システムに登録されている場合、制御部５１６に対して、ゲート３０８を開放するための指示を出す。なお、判定部５０８は、車載器１０２に関する識別情報が駐車場管理システムに登録されているか否かを判定するために、車載器１０２に関する識別情報とユーザに関する識別情報とが関連付けて登録されているか否かを判定する。
【００３３】
登録部５１０は、取得された車載器１０２に関する識別情報が駐車場管理システムに登録されていない場合、後述するように当該車載器１０２に関する識別情報の登録を行う。登録部５１０は、後述するように車載器１０２に関する識別情報とユーザに関する識別情報とを関連付けて登録する。
【００３４】
ウェブサイト提供部５１２は、ユーザの携帯端末２００に表示されるウェブサイトを提供する。携帯端末２００は、当該携帯端末２００の入力部（図示せず）でユーザにより入力された情報に基づいて、ウェブサイト提供部５１２が提供するウェブサイトに、ユーザに関する識別情報を送出する。そしてサーバ５００は、当該ウェブサイトを介してユーザに関する識別情報を取得する。
【００３５】
記憶部５１４は、様々な情報を記憶する。例えば記憶部５１４は、駐車場管理システムに登録されている車載器１０２に関する識別情報およびユーザに関する識別情報を記憶する。ここで、記憶部５１４は、車載器１０２に関する識別情報とユーザに関する識別情報とを関連つけて記憶する。また記憶部５１４は、ウェブサイト提供部５１２が提供するウェブサイトに関する情報を記憶する。
【００３６】
制御部５１６は、ゲート装置３００に対する制御信号を生成する。例えば、判定部５０８が、取得された車載器１０２に関する識別情報が駐車場管理システムに既に登録されていると判定した場合、制御部５１６は、ゲート３０８を開放するための制御信号を生成する。そして制御部５１６は、生成した制御信号を第１通信部５０２を介してゲート装置３００に送信する。
【００３７】
＜４．第１の駐車場管理システムの登録動作＞
以上では、本発明の第１の実施形態による駐車場管理システムの各装置の構成を説明した。続いて、図４を参照し、本発明の第１の実施形態による駐車場管理システムの動作について説明する。
【００３８】
図４は、本発明の第１の実施形態による駐車場管理システムの車載器１０２に関する識別情報の登録動作を示す図である。
【００３９】
Ｓ１００においてゲート装置３００は、車両１００がゲート装置３００に近づいた場合に、車載器１０２に関する識別情報の送信を促すＥＴＣコマンドをブロードキャストする。なお、以下では、車載器１０２に関する識別情報としてＷＣＮが用いられる例について説明する。しかしながら、本実施形態の車載器１０２に関する識別情報は、これに限られない。
【００４０】
次にＳ１０２において、ゲート装置３００からＥＴＣコマンドを受信した車載器１０２は、車載器１０２に固有のＷＣＮをゲート装置３００に対して送信する。Ｓ１０４においてゲート装置３００は、受信したＷＣＮと、ゲート装置３００を識別するために用いられるゲート装置３００に関する識別情報をサーバ５００に送信する。ここでゲート装置３００に関する識別情報は、駐車場管理システムが複数のゲート装置３００を管理する場合に、ゲート装置３００を識別するために用いられる。
【００４１】
Ｓ１０６においてサーバ５００は、受信したＷＣＮが駐車場管理システムに登録されているか否かを判定する。具体的には、サーバ５００の判定部５０８は、受信したＷＣＮが記憶部５１４に記憶されているか否かを判定してもよい。このとき判定部５０８は、ＷＣＮと後述するユーザに関する識別情報とが関連付けて登録されているか否かを判定する。
【００４２】
Ｓ１０６においてサーバ５００の判定部５０８が、ＷＣＮが登録されていると判定した場合、処理はＳ１０８に進む。Ｓ１０８において判定部５０８は、ゲート３０８を開放するための制御信号について生成する指示を、サーバ５００の制御部５１６に対して出す。制御部５１６は、ゲート３０８を開放するための制御信号を生成し、当該制御信号をゲート装置３００に送信する。そしてゲート装置３００は、ゲート３０８を開放する。つまり、本実施形態の駐車場管理システムでは、車載器１０２に関する識別情報が、駐車場管理システムに既に登録されている場合は、自動的にゲート３０８が開放される。
【００４３】
Ｓ１１０以降の処理は、車載器１０２に関する識別情報が駐車場管理システムに登録されていない場合に実行される。Ｓ１０６において、判定部５０８が車載器１０２に関する識別情報が登録されていないと判定する場合、ゲート装置３００のゲート３０８は開放されない。したがって、ユーザは、車載器１０２に関する識別情報を登録する処理を行う。
【００４４】
Ｓ１１０において、携帯端末２００は、当該携帯端末２００の入力部（図示せず）でユーザにより入力された情報に基づいて、車載器１０２に関する識別情報について登録するためのウェブサイトにアクセスする。当該ウェブサイトは、サーバ５００のウェブサイト提供部５１２によって提供されてもよい。そして、携帯端末２００は、当該携帯端末２００の入力部（図示せず）でユーザにより入力された情報に基づいて、車載器１０２に関する識別情報を登録するため、ユーザに関する識別情報についてウェブサイトに送出する。これによってサーバ５００は、ユーザに関する識別情報を取得する。
【００４５】
なお、ユーザに関する識別情報には、ユーザの住居に関する識別情報が含まれてもよい。ユーザの住居に関する識別情報には、例えば、マンションおよびマンションの部屋を識別するための識別情報が含まれる。また、ユーザの住居に関する識別情報には、住居のガス、水道、電気メータを識別するための識別情報が含まれてもよい。また、ユーザの住居に関する識別情報には、マンションの管理組合などのユーザが属する組織が管理する識別情報またはユーザが関係する組織が管理する識別情報が用いられてもよい。
【００４６】
また、ユーザに関する識別情報には、ユーザが属する会社が管理する識別情報が含まれてもよい。ユーザが属する会社が管理する識別情報には、例えば、ユーザの従業員番号が含まれてもよい。
【００４７】
また、ユーザに関する識別情報には、駐車場管理システムを運営する組織（例えばセキュリティ会社、駐車場管理会社）が管理する識別情報が含まれてもよい。
【００４８】
Ｓ１１０において、携帯端末２００により、ウェブサイトにユーザに関する識別情報が送出されると、Ｓ１１２において、登録処理が行われる。Ｓ１１２においてサーバ５００の登録部５１０は、Ｓ１０４において取得された車載器１０２に関する識別情報と、Ｓ１１０において取得されたユーザに関する識別情報とを関連付けて登録する。つまり、登録部５１０は、車載器１０２に関する識別情報とユーザに関する識別情報とを関連付けて記憶部５１４に記憶させる。
【００４９】
Ｓ１１２において、車載器１０２に関する識別情報が登録されると、処理はＳ１１４に進む。Ｓ１１４において判定部５０８は、登録部５１０によって車載器１０２に関する識別情報が登録されたことを判定すると、ゲート３０８を開放するための制御信号を生成する指示をサーバ５００の制御部５１６に対して出す。ここで、ゲート３０８は、Ｓ１０４においてサーバ５００で取得されたゲート装置３００に関する識別情報に対応するゲート装置３００である。制御部５１６は、ゲート３０８を開放するための制御信号を生成し、当該制御信号をゲート装置３００に送信する。
【００５０】
そしてＳ１１６においてゲート装置３００は、ゲート３０８を開放する。つまり、本実施形態の駐車場管理システムでは、車載器１０２に関する識別情報が、駐車場管理システムに新規に登録された場合に、ゲート３０８が開放される。
【００５１】
以上のように、本実施形態の駐車場管理システムでは、車載器１０２に関する識別情報が、ユーザに関する識別情報と関連付けて登録されることによって、ゲート３０８が開放される。そして、当該登録は、ウェブサイトを介して行われる。これによってユーザは、車両１００から降りることなく、簡易な操作によって登録を行うことができる。また、このように登録が行われることによって、登録処理に対する安全性を向上させることができる。
【００５２】
また、本実施形態の駐車場管理システムでは、ユーザに関する識別情報が登録に用いられる。ユーザに関する識別情報には、ユーザが属する、またはユーザに関係する組織が管理する識別情報が用いられる。このような識別情報は、高いセキュリティレベルで管理されているため、セキュリティの高い駐車場管理システムが構築される。
【００５３】
＜＜第２の実施形態＞＞
以上では、本発明の第１の実施形態による第１の駐車場管理システムの登録動作を説明した。続いて、図５から図８を参照し、本発明の実施形態による第２の駐車場管理システムの登録について説明する。
【００５４】
＜５．第２の実施形態による駐車場管理システムの構成＞
図５は、本発明の第２の実施形態による駐車場管理システムの構成を示す図である。ここで、図５は、本発明の第２の実施形態による駐車場管理システムの登録動作が行われる状況を示す図である。図５に示されるように、本発明の第２の実施形態による駐車場管理システムは、車載器１０２ａを搭載する車両１００ａと、車載器１０２ｂを搭載する車両１００ｂと、車両１００ａに関わるユーザによって所持される携帯端末２００ａと、車両１００ｂに関わるユーザによって所持される携帯端末２００ｂと、ゲート装置３００と、ネットワーク４００と、サーバ５００と、を含む。ここで、図５に示されるように、車載器１０２に関する識別情報が登録されていない２台の車両１００ａ、１００ｂがゲート装置３００の前に近づいた場合、２台の車両１００ａ、１００ｂに搭載されている２つの車載器１０２ａ、１０２ｂに関する識別情報がゲート装置３００によって取得される。
【００５５】
このとき、携帯端末２００ａは、当該携帯端末２００ａの入力部（図示せず）でユーザにより入力された情報に基づいて、車載器１０２ａに関する識別情報について登録するためのウェブサイトにアクセスする。携帯端末２００ｂは、当該携帯端末２００ｂの入力部（図示せず）でユーザにより入力された情報に基づいて、車載器１０２ｂに関する識別情報について登録するためのウェブサイトにアクセスする。しかしながらサーバ５００は、取得された２つの車載器１０２ａ、１０２ｂに関する識別情報と２つのユーザに関する識別情報の関連性を識別することができないため、正常に登録を行うことができない可能性がある。
【００５６】
したがって、本発明の第２の実施形態による第２の駐車場管理システムでは、上述した２つの車載器１０２ａ、１０２ｂに関する識別情報と２つのユーザに関する識別情報とを区別して登録するための区別登録処理が行われる。
＜６．第２の実施形態によるゲート装置の構成＞
以上では、本発明の第２の実施形態による駐車場管理システムの概略を説明した。続いて、本発明の第２の実施形態によるゲート装置３００の構成を説明する。
【００５７】
本発明の第２の実施形態によるゲート装置３００は、第１通信部３０２と、第２通信部３０４と、制御部３０６と、ゲート３０８と、を備える（図２を参照）。
【００５８】
＜７．第２の駐車場管理システムの登録動作＞
以上では、本発明の第２の実施形態によるゲート装置３００の構成を説明した。続いて、図６を参照し、本発明の第２の実施形態によるサーバ５００の構成を説明する。
図６は、本発明の第２の実施形態によるサーバ５００の構成を示す図であり、区別登録処理を行うためのサーバ５００の構成を示す図である。本発明の第２の実施形態によるサーバ５００は、第１通信部５０２と、第２通信部５０４と、処理部５０６と、記憶部５１４と、制御部５１６と、を備える。また処理部５０６は、判定部５０８と、登録部５１０と、ウェブサイト提供部５１２と、を備える。図３で示されたサーバ５００と比べて、図６に示されるサーバ５００は、さらに区別登録処理を行うための区別登録処理部５１８を備える。
【００５９】
＜８．第２の駐車場管理システムの登録動作＞
以上では、本発明の第２の実施形態による駐車場管理システムの各装置の構成を説明した。続いて、図７および図８を参照し、本発明の第２の実施形態による駐車場管理システムの動作であり、区別登録処理を行う駐車場管理システムの登録動作について説明する。図７および図８は、区別登録処理を行う、本発明の第２の実施形態による駐車場管理システムの登録動作について説明する図である。
【００６０】
Ｓ２００においてゲート装置３００は、車載器１０２に関する識別情報の送信を促すＥＴＣコマンドをブロードキャストする。Ｓ２０２において、ゲート装置３００からＥＴＣコマンドを受信した車載器１０２ａは、車載器１０２ａに固有のＷＣＮ＿Ａをゲート装置３００に対して送信する。Ｓ２０４においてゲート装置３００は、受信したＷＣＮ＿Ａと、ゲート装置３００を識別するために用いられるゲート装置３００に関する識別情報をサーバ５００に送信する。
【００６１】
同様に、Ｓ２０８において、ゲート装置３００からＥＴＣコマンドを受信した車載器１０２ｂは、車載器１０２ｂに固有のＷＣＮ＿Ｂをゲート装置３００に対して送信する。Ｓ２１０においてゲート装置３００は、受信したＷＣＮ＿Ｂと、ゲート装置３００を識別するために用いられるゲート装置３００に関する識別情報をサーバ５００に送信する。
【００６２】
次にＳ２１２においてサーバ５００は、受信した２つのＷＣＮ＿ＡおよびＷＣＮ＿Ｂが駐車場管理御システムに登録されているか否かを判定する。ここでサーバ５００の判定部５０８は、受信した２つのＷＣＮ＿ＡおよびＷＣＮ＿Ｂの両方が駐車場管理御システムに登録されているか否かを判定する。これは、受信した２つのＷＣＮ＿ＡおよびＷＣＮ＿Ｂのどちらか一方が登録されていることに基づいてゲート３０８が開放されると、登録されていない車両１００が駐車場に入る、または駐車場から出る可能性があるからである。例えば、図５の車両１００ａが登録されておらず、車両１００ｂが登録されている場合にゲート３０８が開放されると、登録されていない車両１００ａが駐車場に入る、または駐車場から出てしまう可能性がある。したがって、サーバ５００の判定部５０８は、受信した２つのＷＣＮ＿ＡおよびＷＣＮ＿Ｂの両方が駐車場管理御システムに登録されているか否かを判定する。
【００６３】
Ｓ２１２においてサーバ５００の判定部５０８が、取得されたＷＣＮ＿ＡおよびＷＣＮ＿Ｂの両方が登録されていると判定した場合、処理はＳ２１４に進む。Ｓ２１４において判定部５０８は、ゲート３０８を開放するための制御信号を生成する指示をサーバ５００の制御部５１６に対して出す。制御部５１６は、ゲート３０８を開放するための制御信号を生成し、当該制御信号をゲート装置３００に送信する。そしてゲート装置３００は、ゲート３０８を開放する。
【００６４】
Ｓ２１２において、判定部５０８が取得されたＷＣＮ＿ＡおよびＷＣＮ＿Ｂのどちらか一方またはＷＣＮ＿ＡおよびＷＣＮ＿Ｂの両方が登録されていないと判定する場合、ゲート装置３００のゲート３０８は開放されない。したがって、ユーザは、車載器１０２に関する識別情報を登録する処理を行う。また、ＷＣＮ＿ＡおよびＷＣＮ＿Ｂの両方が登録されていない場合、判定部５０８は、区別登録処理部５１８に図７のＳ２１６から図８のＳ２５４において示される区別登録処理を行わせるように指示する。
【００６５】
Ｓ２１６において、携帯端末２００ａは、当該携帯端末２００ａの入力部（図示せず）で車両１００ａに乗車しているユーザにより入力された情報に基づいて、車載器１０２ａに関する識別情報について登録するためのウェブサイトにアクセスする。そして、携帯端末２００は、当該携帯端末２００ａの入力部（図示せず）でユーザにより入力された情報に基づいて、車載器１０２ａに関する識別情報を登録するため、ユーザに関する識別情報（図７においてユーザ識別情報＿Ａと示される）についてウェブサイトに送出する。これによってサーバ５００は、ユーザに関する識別情報（ユーザ識別情報＿Ａ）を取得する。
【００６６】
同様に、Ｓ２１８において、携帯端末２００ｂは、当該携帯端末２００ｂの入力部（図示せず）で車両１００ｂに乗車しているユーザにより入力された情報に基づいて、車載器１０２ｂに関する識別情報について登録するためのウェブサイトにアクセスする。そして携帯端末２００は、当該携帯端末２００ｂの入力部（図示せず）でユーザにより入力された情報に基づいて、車載器１０２ｂに関する識別情報を登録するため、ユーザに関する識別情報（図７においてユーザ識別情報＿Ｂと示される）についてウェブサイトに送出する。これによってサーバ５００は、ユーザに関する識別情報（ユーザ識別情報＿Ｂ）を取得する。
【００６７】
次にＳ２２０においてサーバ５００の区別登録処理部５１８は、ウェブサイトを介してユーザに関する識別情報を送信してきた携帯端末２００のうちの１つを選択する。区別登録処理部５１８は、例えば、先にユーザに関する識別情報を送信してきた携帯端末２００（図７では携帯端末２００ａ）を選択してもよい。ここで、携帯端末２００の選択は、携帯端末２００から送信されるＩＰアドレスに基づいて行われてもよい。なお、携帯端末２００の選択は、携帯端末２００に固有の情報に基づいて行われればよく、携帯端末２００の選択に用いられる情報は、ＩＰアドレスに限られない。
【００６８】
そしてＳ２２２において区別登録処理部５１８は、Ｓ２２０において選択された携帯端末２００ａに対して車載器１０２ａの電源をオフにすることを促す画面を送る。そしてＳ２２４において、携帯端末２００ａは、車載器１０２ａの電源をオフにすることを促す画面を表示する。ここで、車載器１０２ａの電源をオフにすることを促す画面は、ユーザに関する識別情報を入力するためのウェブサイトで携帯端末２００ａに対して表示されてもよい。また、車載器１０２ａの電源をオフにすることを促す画面は、サーバ５００が携帯端末２００に関わるメールアドレスを取得する場合、メールで送信されてもよい。
【００６９】
Ｓ２２６において車両１００ａに乗車するユーザは、Ｓ２２４で表示された画面に従って、車載器１０２ａの電源をオフにする。例えば、Ｓ２２６においてユーザは、車載器１０２ａの電源をオフにするため、車両１００のエンジンを切ってもよい。
【００７０】
次にＳ２２８において区別登録処理部５１８は、ＥＴＣコマンドをブロードキャストするための制御信号を生成する指示を制御部５１６に対して出す。そして制御部５１６は、ＥＴＣコマンドをブロードキャストするための制御信号をゲート装置３００に送信する。
【００７１】
Ｓ２３０においてＥＴＣコマンドをブロードキャストするための制御信号を受信したゲート装置３００は、ＥＴＣコマンドをブロードキャストする。そしてＳ２３２において、ＥＴＣコマンドを受信した車載器１０２ｂは、再び車載器１０２ｂに関する識別情報（ＷＣＮ＿Ｂ）をゲート装置３００に送信する。ここで、Ｓ２２６において車載器１０２ａの電源はオフになっているので、車載器１０２ａは、車載器１０２ａに関する識別情報を送信しない。
【００７２】
Ｓ２３４において、車載器１０２ｂに関する識別情報（ＷＣＮ＿Ｂ）を受信したゲート装置３００は、受信したＷＣＮ＿Ｂと、ゲート装置３００を識別するために用いられるゲート装置３００に関する識別情報をサーバ５００に送信する。
【００７３】
次に図８のＳ２３６において、区別登録処理部５１８は、Ｓ２２０において選択された携帯端末２００ａに対して車載器１０２ａの電源をオンにすることを促す画面を送る。そしてＳ２３８において、携帯端末２００ａは、車載器１０２ａの電源をオンにすることを促す画面を表示する。Ｓ２４０において車両１００ａに乗車するユーザは、Ｓ２３８で表示された画面に従って、車載器１０２ａの電源をオンにする。ここで、車載器１０２ａの電源をオンにすることを促す画面は、ユーザに関する識別情報を入力するためのウェブサイトで携帯端末２００ａに対して表示されてもよい。また、車載器１０２ａの電源をオンにすることを促す画面は、サーバ５００が携帯端末２００ａに関わるメールアドレスを取得している場合、メールで送信されてもよい。
【００７４】
次にＳ２４２において区別登録処理部５１８は、ＥＴＣコマンドをブロードキャストするための制御信号を生成する指示を制御部５１６に対して出す。そして制御部５１６は、ＥＴＣコマンドをブロードキャストするための制御信号をゲート装置３００に送信する。
【００７５】
Ｓ２４４においてＥＴＣコマンドをブロードキャストするための制御信号を受信したゲート装置３００は、ＥＴＣコマンドをブロードキャストする。そしてＳ２４６において、ＥＴＣコマンドを受信した車載器１０２ａは、再び車載器１０２ａに関する識別情報（ＷＣＮ＿Ａ）をゲート装置３００に送信する。Ｓ２４８において、車載器１０２ａに関する識別情報（ＷＣＮ＿Ａ）を受信したゲート装置３００は、受信したＷＣＮ＿Ａと、ゲート装置３００を識別するために用いられるゲート装置３００に関する識別情報をサーバ５００に送信する。
【００７６】
また同様に、Ｓ２５０において、ＥＴＣコマンドを受信した車載器１０２ｂは、再び車載器１０２ｂに関する識別情報（ＷＣＮ＿Ｂ）をゲート装置３００に送信する。そしてＳ２５２において、車載器１０２ｂに関する識別情報（ＷＣＮ＿Ｂ）を受信したゲート装置３００は、受信したＷＣＮ＿Ｂと、ゲート装置３００を識別するために用いられるゲート装置３００に関する識別情報をサーバ５００に送信する。
【００７７】
上述したような処理が行われることによって、Ｓ２５４においてサーバ５００の登録部５１０は、２つの車載器１０２に関する識別情報（ＷＣＮ＿Ａ、ＷＣＮ＿Ｂ）と２つのユーザに関する識別情報（ユーザ識別情報＿Ａ、ユーザ識別情報＿Ｂ）とを正しく関連付けて登録することができる。
【００７８】
つまり、登録部５１０は、Ｓ２２０において選択された携帯端末２００ａから取得されるユーザ識別情報＿Ａと、Ｓ２３０のＥＴＣコマンドに対して送信されず、Ｓ２４２のＥＴＣコマンドに対して送信されたＷＣＮ＿Ａとに関連性があることを認識する。そして登録部５１０は、ユーザ識別情報＿Ａと、ＷＣＮ＿Ａとを関連付けて登録する。
【００７９】
また、同様に、登録部５１０は、Ｓ２２０において選択されなかった携帯端末２００ｂから取得されるユーザ識別情報＿Ｂと、Ｓ２３０およびＳ２４２の両方のＥＴＣコマンドに対して送信されたＷＣＮ＿Ｂとに関連性があることを認識する。そして登録部５１０は、ユーザ識別情報＿Ｂと、ＷＣＮ＿Ｂとを関連付けて登録する。このように上述した区別登録処理によれば、登録されていない複数の車載器１０２に関する識別情報のそれぞれと、複数のユーザに関する識別情報のそれぞれとが、正しい対応関係で関連付けて登録される。
【００８０】
Ｓ２５４において、取得されたすべての車載器１０２に関する識別情報（ＷＣＮ＿ＡおよびＷＣＮ＿Ｂ）が登録されたので、判定部５０８は、ゲート３０８を開放するための制御信号を生成する指示をサーバ５００の制御部５１６に対して出す。制御部５１６は、ゲート３０８を開放するための制御信号を生成し、当該制御信号をゲート装置３００に送信する。そしてＳ２５８においてゲート装置３００は、ゲート３０８を開放する。
【００８１】
なお、上述した処理において、登録部５１０は、２つの車載器１０２に関する識別情報（ＷＣＮ＿Ａ、ＷＣＮ＿Ｂ）の登録を図７のＳ２３４の後に行ってもよい。登録部５１０は、Ｓ２２０において選択された携帯端末２００ａから取得されるユーザ識別情報＿Ａと、Ｓ２３０のＥＴＣコマンドに対して送信されなかったＷＣＮ＿Ａとに関連性があることを認識できるからである。また、同様に、登録部５１０は、Ｓ２２０において選択されなかった携帯端末２００ｂから取得されるユーザ識別情報＿Ｂと、Ｓ２３０のＥＴＣコマンドに対して送信されたＷＣＮ＿Ｂとに関連性があることを認識できる。このように処理が行われることによって、より迅速に登録処理が行われる。
【００８２】
また、より確実に登録処理を行うために、図７のＳ２２０から図８のＳ２５２までの処理が２回行われてもよい。つまり、１回目の処理として、区別登録処理部５１８は、Ｓ２２０において携帯端末２００ａを選択してＳ２２２からＳ２５２までの処理を行い、２回目の処理として、区別登録処理部５１８は、Ｓ２２０において携帯端末２００ｂを選択してＳ２２２からＳ２５２までの処理を行う。これによって、より確実に車載器１０２ａとユーザ識別情報＿Ａとの対応づけおよび車載器１０２ｂとユーザ識別情報＿Ｂとの対応づけが行われる。
【００８３】
以上のように、本発明の第２の駐車場管理システムの登録動作では、複数の車載器１０２に関する識別情報が取得された場合でも、正しく登録が行われる。
【００８４】
＜９．ハードウェア構成＞
以下では、図９を参照しながら、本開示の実施形態に係るサーバ５００のハードウェア構成について、詳細に説明する。図９は、本開示の実施形態に係るサーバ５００のハードウェア構成を説明するためのブロック図である。
【００８５】
サーバ５００は、主に、ＣＰＵ９０１と、ＲＯＭ９０３と、ＲＡＭ９０５と、を備える。また、サーバ５００は、更に、ホストバス９０７と、ブリッジ９０９と、外部バス９１１と、インターフェース９１３と、入力装置９１５と、出力装置９１７と、ストレージ装置９１９と、ドライブ９２１と、第２通信装置９２３と、第１通信装置９２５とを備える。
【００８６】
ＣＰＵ９０１は、中心的な処理装置及び制御装置として機能し、ＲＯＭ９０３、ＲＡＭ９０５、ストレージ装置９１９、又はリムーバブル記録媒体９２７に記録された各種プログラムに従って、サーバ５００内の動作全般又はその一部を制御する。なお、ＣＰＵ９０１は、処理部５０６の機能を有してもよい。ＲＯＭ９０３は、ＣＰＵ９０１が利用するプログラムや演算パラメータ等を記憶する。ＲＡＭ９０５は、ＣＰＵ９０１が利用するプログラムや、プログラムの実行において適宜変化するパラメータ等を一次記憶する。これらはＣＰＵバス等の内部バスにより構成されるホストバス９０７により相互に接続されている。
【００８７】
入力装置９１５は、例えば、マウス、キーボード、タッチパネル、ボタン、スイッチ及びレバーなどサーバの管理者が操作する操作手段である。また入力装置９１５は、例えば、上記の操作手段を用いてサーバの管理者により入力された情報に基づいて入力信号を生成し、ＣＰＵ９０１に出力する入力制御回路などから構成されている。サーバの管理者は、この入力装置９１５を操作することにより、サーバ５００に対して各種のデータを入力したり処理動作を指示したりすることができる。
【００８８】
出力装置９１７は、取得した情報をサーバの管理者に対して視覚的又は聴覚的に通知することが可能な装置で構成される。このような装置として、ＣＲＴディスプレイ装置、液晶ディスプレイ装置、プラズマディスプレイ装置、ＥＬディスプレイ装置及びランプなどの表示装置がある。出力装置９１７は、例えば、サーバ５００が行った各種処理により得られた結果を出力する。具体的には、表示装置は、サーバ５００が行った各種処理により得られた結果を、テキスト又はイメージで表示する。
【００８９】
ストレージ装置９１９は、サーバ５００の記憶部５１４の一例として構成されたデータ格納用の装置である。ストレージ装置９１９は、例えば、ＨＤＤ（Ｈａｒｄ  Ｄｉｓｋ  Ｄｒｉｖｅ）等の磁気記憶デバイス、半導体記憶デバイス、光記憶デバイス、又は光磁気記憶デバイス等により構成される。このストレージ装置９１９は、ＣＰＵ９０１が実行するプログラムや各種データ、及び外部から取得した各種データなどを格納する。なお、ストレージ装置９１９は、記憶部５１４の機能を有してもよい。
【００９０】
ドライブ９２１は、記録媒体用リーダライタであり、サーバ５００に内蔵、あるいは外付けされる。ドライブ９２１は、装着されている磁気ディスク、光ディスク、光磁気ディスク、又は半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、又は半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙ（登録商標）メディア等である。また、リムーバブル記録媒体９２７は、コンパクトフラッシュ（登録商標）（ＣｏｍｐａｃｔＦｌａｓｈ：ＣＦ）、フラッシュメモリ、又は、ＳＤメモリカード（Ｓｅｃｕｒｅ  Ｄｉｇｉｔａｌ  ｍｅｍｏｒｙ  ｃａｒｄ）等であってもよい。
【００９１】
第２通信装置９２３は、外部接続機器９２９と通信を確立することによって、外部接続機器９２９との間でデータを交換するために用いられる。第２通信装置９２３の一例として、ＩＥＥＥ８０２．１１ポート、ＩＥＥＥ８０２．１５ポート等がある。この第２通信装置９２３によって外部接続機器９２９と接続されることで、サーバ５００は、外部接続機器９２９から直接各種データを取得したり、外部接続機器９２９に制御信号を送信したりする。なお、外部接続機器９２９の一例は、ゲート装置３００である。
【００９２】
第１通信装置９２５は、例えば、通信網９３１に接続するための通信デバイス等で構成された通信インターフェースである。第１通信装置９２５は、例えば、有線又は無線ＬＡＮ（Ｌｏｃａｌ  Ａｒｅａ  Ｎｅｔｗｏｒｋ）、又はＷＵＳＢ（Ｗｉｒｅｌｅｓｓ  ＵＳＢ）用の通信カード等である。また、第１通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は、各種通信用のモデム等であってもよい。この第１通信装置９２５は、例えば、インターネットや他の通信機器との間で、例えばＴＣＰ／ＩＰ等の所定のプロトコルに則して信号等を送受信することができる。また、第１通信装置９２５に接続される通信網９３１は、有線又は無線によって接続されたネットワーク等により構成され、例えば、インターネット、家庭内ＬＡＮ、赤外線通信、ラジオ波通信又は衛星通信等であってもよい。
【００９３】
＜１０．むすび＞
以上説明したように、本発明の実施形態によれば、ウェブサイトを介して、駐車場管理システムに対する登録が行われる。これによってユーザは、車両１００から降りることなく、簡易な操作によって登録を行うことができる。また、このように登録が行われることによって、登録処理に対する安全性を向上させることができる。
【００９４】
また、本発明の実施形態によれば、ユーザに関する識別情報が登録に用いられる。ユーザに関する識別情報には、ユーザが属する、またはユーザに関係する組織が管理する識別情報が用いられてもよい。このような識別情報が用いられる場合には、高いセキュリティレベルで管理されているため、さらにセキュリティの高い駐車場管理システムが構築される。
【００９５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９６】
例えば、登録を行うためのウェブサイトにアクセスするためにログイン処理が行われてもよい。また、ログイン処理を行うためのＩＤまたはパスワードは、ユーザに固有である情報が用いられてもよい。例えば、ログイン処理を行うためのＩＤまたはパスワードは、マンションの管理組合または会社のような、ユーザが属する、またはユーザに関係する組織から発行されてもよい。これによって、さらにセキュリティの高い駐車場管理システムが構築される。
【００９７】
また、本明細書の駐車場管理システムの処理における各ステップは、必ずしもシーケンス図として記載された順序に沿って時系列に処理する必要はない。例えば、図４において、ユーザに関する識別情報は、判定部５０８による判定（Ｓ１０６）の前にサーバによって取得されてもよい。
【００９８】
また、図７のＳ２２４の車載器１０２ａの電源をオフにすることを促す画面に代えて、車載器１０２ａの電源をオフにすることを促す音声が用いられてもよい。また同様に、図８のＳ２３８の車載器１０２ａの電源をオンにすることを促す画面に代えて、車載器１０２ａの電源をオンにすることを促す音声が用いられてもよい。
【００９９】
また、図７のＳ２２０からＳ２２６において、サーバ５００が、車載器１０２の電源をオフにすることを促す画面を１つの携帯端末２００（図７では携帯端末２００ａ）に表示させる場合、サーバ５００は、Ｓ２２０において選択されなかったもう１つの携帯端末２００（図７では携帯端末２００ｂ）には、待機を指示する画面を表示させてもよい。
【０１００】
また、上述した例において、本実施形態においてユーザに関する識別情報を入力するための携帯端末２００の一例は、さらに、ラップトップコンピュータ、ネットワークを介して通信できるＰＤＡ（Ｐｅｒｓｏｎａｌ  Ｄｉｇｉｔａｌ  Ａｓｓｉｓｔａｎｔ）、ウェアラブルデバイス、車載デバイスなどの情報処理装置であってもよい。
【０１０１】
また、サーバ５００に内蔵されるＣＰＵ、ＲＯＭおよびＲＡＭなどのハードウェアに、上述したサーバ５００の各構成と同等の機能を発揮させるためのコンピュータプログラムも作成可能であり、当該コンピュータプログラムを記憶させた記憶媒体も提供可能である。
【符号の説明】
【０１０２】
１００  車両
１０２  車載器
２００  携帯端末
３００  ゲート装置
３０２  第１通信部
３０４  第２通信部
３０６  制御部
３０８  ゲート
４００  ネットワーク
５００  サーバ
５０２  第１通信部
５０４  第２通信部
５０６  処理部
５０８  判定部
５１０  登録部
５１２  ウェブサイト提供部
５１４  記憶部
５１６  制御部
５１８  区別登録処理部
【図１】
2018136743.tif 000003
【図２】
2018136743.tif 000004
【図３】
2018136743.tif 000005
【図４】
2018136743.tif 000006
【図５】
2018136743.tif 000007
【図６】
2018136743.tif 000008
【図７】
2018136743.tif 000009
【図８】
2018136743.tif 000010
【図９】
2018136743.tif 000011